(57)【要約】【課題】遊技者の邪魔にならないように携帯通信機を載置でき利便性の向上を図る。【解決手段】計数遊技媒体受け皿２６は、下部正面板３２の正面３２０２でノズルシュート２２の上に設けられている。受け皿用蓋２８は、計数遊技媒体受け皿２６の筐体１２の正面寄りの箇所にヒンジ部５０を介して揺動可能に設けられている。受け皿用蓋２８は、計数遊技媒体受け皿２６を閉じた状態で上方を向いた上面２８０２を有している。携帯通信機載置部４４は、筐体１２の正面から離れた上面２８０２の先端寄りの箇所に設けられた突起４６と、突起４６の筐体１２の正面側の上面２８０２の箇所に設けられた平面部４８とを含んで構成されている。【選択図】図１４
2018011848.tif 000002
【特許請求の範囲】
【請求項１】
遊技機に併設される遊技媒体貸出機の筐体の正面に配置された計数遊技媒体受け皿を開閉する受け皿用蓋であって、
前記受け皿用蓋に、携帯通信機の載置を可能とした携帯通信機載置部が設けられている、
ことを特徴とする遊技媒体貸出機の受け皿用蓋。
【請求項２】
遊技機に併設される遊技媒体貸出機であって、
払い出しホッパおよび計数ホッパを内部に収容する筐体本体と、
前記筐体本体の正面の下部に着脱可能に取着される下部正面板と、
前記筐体本体と前記下部正面板とを含んで構成された筐体と、
前記筐体本体の内部と反対に位置する前記下部正面板の正面である前記筐体の正面に設けられ前記払い出しホッパから遊技媒体が供給されるノズルシュートと、
前記下部正面板の正面である前記筐体の正面で前記ノズルシュートの上に設けられた前記計数ホッパに遊技媒体を供給する計数遊技媒体受け皿と、
前記計数遊技媒体受け皿を開閉する受け皿用蓋とを備え、
前記受け皿用蓋に、携帯通信機の載置を可能とした携帯通信機載置部が設けられている、
ことを特徴とする遊技媒体貸出機。
【請求項３】
前記受け皿用蓋は、前記計数遊技媒体受け皿を閉じた状態で上方を向いた上面を有し、
前記携帯通信機載置部は、前記筐体の正面から離れた前記上面の先端寄りの箇所に設けられた突起と、前記突起の前記筐体の正面側の前記上面の箇所に設けられた平面部とを含んで構成され、
携帯通信機が縦置きされてその下端が前記平面部上に載置されると共に前記突起に係止され、その上端が前記開閉蓋に係止され、立てかけられた状態で載置される、
ことを特徴とする請求項１記載の遊技媒体貸出機の受け皿用蓋または請求項２記載の遊技媒体貸出機。
【請求項４】
前記上面は、前記筐体の正面から前記上面の先端までの長さと、この長さと直交する幅とを有し、
前記平面部は、前記上面の幅方向の全長にわたり、かつ、前記携帯通信機の幅よりも大きい寸法で前記上面の長さ方向に延在している、
ことを特徴とする請求項１または３記載の遊技媒体貸出機の受け皿用蓋または請求項２または３記載の遊技媒体貸出機。
【請求項５】
前記下部正面板が取着される上方の前記筐体の正面の箇所は、前記払い出しホッパに遊技媒体を投入するための開口となっており、
前記開口を開閉する開閉蓋が設けられ、
受け皿用蓋は、前記計数遊技媒体受け皿の前記筐体の正面寄りの箇所にヒンジ部を介して揺動可能に設けられ、
前記ヒンジ部は、前記受け皿用蓋と前記計数遊技媒体受け皿の一方に設けられた支軸と、他方に設けられた軸受部とを含んで構成され、
前記支軸の断面は、幅よりも長さが大きい細長形状に形成され、
前記軸受部は、前記支軸を回転可能に支持する断面が円形の円形孔と、前記円形孔に連通し前記支軸の前記幅の部分が前記円形孔から前記円形孔の外部への移動を許容する切り欠きとを含んで構成され、
前記開閉蓋が前記開口を閉塞した状態で、前記受け皿用蓋は、前記計数遊技媒体受け皿を閉塞した状態から前記ヒンジ部を中心として揺動して開き前記開閉蓋に当接した第１の開放位置となり、
前記第１の開放位置で、前記支軸の前記幅の部分が前記円形孔内に位置し、前記受け皿用蓋の前記計数遊技媒体受け皿からの取り外しが不能となる、
ことを特徴とする請求項２、３、４の何れか１項記載の遊技媒体貸出機。
【請求項６】
前記下部正面板が前記筐体から取り外された状態で、前記受け皿用蓋は、前記計数遊技媒体受け皿を閉塞した状態から前記ヒンジ部を中心として揺動して開き前記第１の開放位置よりもさらに開いた第２の開放位置となり、
前記第２の開放位置で前記支軸の前記幅の部分と前記切り欠きとが合致し、前記受け皿用蓋の前記計数遊技媒体受け皿からの取り外しが可能となる、
ことを特徴とする請求項５記載の遊技媒体貸出機。
【請求項７】
前記下部正面板は、前記筐体本体の正面の係止孔に下方に変位することで係止し、上方に変位することで前記係止孔から外れる係止爪を有し、
前記開閉蓋が前記開口を閉塞した状態で、前記下部正面板は前記開閉蓋に当接して上方への変位が不能となり、
前記開閉蓋が前記開口を開放した状態で、前記下部正面板は上方への変位が可能となり、前記筐体本体から取り外し可能となる、
ことを特徴とする請求項６記載の遊技媒体貸出機。
【請求項８】
前記計数遊技媒体受け皿の上方の前記筐体の正面の箇所に前記携帯通信機の充電を行なう充電用コネクタが設けられている、
ことを特徴とする請求項１、３、４の何れか１項記載の遊技媒体貸出機の受け皿用蓋または請求項２、３、４、５、６、７の何れか1項記載の遊技媒体貸出機。
【発明の詳細な説明】
【技術分野】
【０００１】
本発明は、遊技機に併設される遊技媒体貸出機の遊技媒体貸出機の受け皿用蓋および遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、遊技者が貨幣を貨幣投入口に投入することで、あるいは、所定のカード媒体をカード挿入口に挿入することで、メダルの払い出しを行なう。
また、隣り合う遊技機と遊技媒体貸出機の間には寸法調整のための台間柱が設けられている。
また、メダルの計数機能を備える遊技媒体貸出機には、計数ホッパと、計数ホッパにメダルを導く計数遊技媒体受け皿とが設けられている。
計数遊技媒体受け皿には、受け皿用蓋が設けられており、使用時には受け皿用蓋を開き、非使用時には受け皿用蓋で計数遊技媒体受け皿を閉じ異物が入らないようにしている。
ところで、遊技機に設けられた画像ディスプレイには、遊技状態に応じて様々な動画が表示されるため、近年、スマートフォンのようなカメラ機能を有する携帯通信機を用いてそれらの動画を撮影し、撮影した動画をインターネットを介して動画共有サービスに送信して公開するといったことが行われている。
そこで、特許文献１には、台間柱にフレキシブルアームの一端を取り付け、他端に携帯通信機を保持するホルダを設けた保持装置が開示されている。
この保持装置では、ホルダに保持させた携帯通信機が、遊技機の画像ディスプレイの前方の箇所に位置するようにフレキシブルアームを曲げることで、携帯通信機による画像ディスプレイの撮影を行うことができる。
また、ホルダに保持させた携帯通信機が、遊技機の画像ディスプレイの前方の箇所から退避するようにフレキシブルアームを曲げることで、携帯通信機を遊技の邪魔にならない箇所に位置させることができる。
【先行技術文献】
【特許文献】
【０００３】
【特許文献１】特許第５９１９３２６号公報
【発明の概要】
【発明が解決しようとする課題】
【０００４】
しかしながら、上記従来技術では、フレキシブルアームやホルダによって限られたスペースが専有されてしまうことから、フレキシブルアームやホルダが遊技者の邪魔になりやすい不具合がある。
本発明は、受け皿用蓋に着目してなされたものであり、本発明の目的は、遊技者の邪魔にならないように携帯通信機を載置でき利便性の向上を図る上で有利な遊技媒体貸出機の受け皿用蓋および遊技媒体貸出機を提供することにある。
【課題を解決するための手段】
【０００５】
上記目的を達成するために、請求項１記載の発明は、遊技機に併設される遊技媒体貸出機の筐体の正面に配置された計数遊技媒体受け皿を開閉する受け皿用蓋であって、前記受け皿用蓋に、携帯通信機の載置を可能とした携帯通信機載置部が設けられていることを特徴とする。
請求項２記載の発明は、遊技機に併設される遊技媒体貸出機であって、払い出しホッパおよび計数ホッパを内部に収容する筐体本体と、前記筐体本体の正面の下部に着脱可能に取着される下部正面板と、前記筐体本体と前記下部正面板とを含んで構成された筐体と、前記筐体本体の内部と反対に位置する前記下部正面板の正面である前記筐体の正面に設けられ前記払い出しホッパから遊技媒体が供給されるノズルシュートと、前記下部正面板の正面である前記筐体の正面で前記ノズルシュートの上に設けられた前記計数ホッパに遊技媒体を供給する計数遊技媒体受け皿と、前記計数遊技媒体受け皿を開閉する受け皿用蓋とを備え、前記受け皿用蓋に、携帯通信機の載置を可能とした携帯通信機載置部が設けられていることを特徴とする。
請求項３記載の発明は、前記受け皿用蓋は、前記計数遊技媒体受け皿を閉じた状態で上方を向いた上面を有し、前記携帯通信機載置部は、前記筐体の正面から離れた前記上面の先端寄りの箇所に設けられた突起と、前記突起の前記筐体の正面側の前記上面の箇所に設けられた平面部とを含んで構成され、携帯通信機が縦置きされてその下端が前記平面部上に載置されると共に前記突起に係止され、その上端が前記開閉蓋に係止され、立てかけられた状態で載置されることを特徴とする。
請求項４記載の発明は、前記上面は、前記筐体の正面から前記上面の先端までの長さと、この長さと直交する幅とを有し、前記平面部は、前記上面の幅方向の全長にわたり、かつ、前記携帯通信機の幅よりも大きい寸法で前記上面の長さ方向に延在していることを特徴とする。
請求項５記載の発明は、前記下部正面板が取着される上方の前記筐体の正面の箇所は、前記払い出しホッパに遊技媒体を投入するための開口となっており、前記開口を開閉する開閉蓋が設けられ、受け皿用蓋は、前記計数遊技媒体受け皿の前記筐体の正面寄りの箇所にヒンジ部を介して揺動可能に設けられ、前記ヒンジ部は、前記受け皿用蓋と前記計数遊技媒体受け皿の一方に設けられた支軸と、他方に設けられた軸受部とを含んで構成され、前記支軸の断面は、幅よりも長さが大きい細長形状に形成され、前記軸受部は、前記支軸を回転可能に支持する断面が円形の円形孔と、前記円形孔に連通し前記支軸の前記幅の部分が前記円形孔から前記円形孔の外部への移動を許容する切り欠きとを含んで構成され、前記開閉蓋が前記開口を閉塞した状態で、前記受け皿用蓋は、前記計数遊技媒体受け皿を閉塞した状態から前記ヒンジ部を中心として揺動して開き前記開閉蓋に当接した第１の開放位置となり、前記第１の開放位置で、前記支軸の前記幅の部分が前記円形孔内に位置し、前記受け皿用蓋の前記計数遊技媒体受け皿からの取り外しが不能となることを特徴とする。
請求項６記載の発明は、前記下部正面板が前記筐体から取り外された状態で、前記受け皿用蓋は、前記計数遊技媒体受け皿を閉塞した状態から前記ヒンジ部を中心として揺動して開き前記第１の開放位置よりもさらに開いた第２の開放位置となり、前記第２の開放位置で前記支軸の前記幅の部分と前記切り欠きとが合致し、前記受け皿用蓋の前記計数遊技媒体受け皿からの取り外しが可能となることを特徴とする。
請求項７記載の発明は、前記下部正面板は、前記筐体本体の正面の係止孔に下方に変位することで係止し、上方に変位することで前記係止孔から外れる係止爪を有し、前記開閉蓋が前記開口を閉塞した状態で、前記下部正面板は前記開閉蓋に当接して上方への変位が不能となり、前記開閉蓋が前記開口を開放した状態で、前記下部正面板は上方への変位が可能となり、前記筐体本体から取り外し可能となることを特徴とする。
請求項８記載の発明は、前記計数遊技媒体受け皿の上方の前記筐体の正面の箇所に前記携帯通信機の充電を行なう充電用コネクタが設けられていることを特徴とする。
【発明の効果】
【０００６】
請求項１、２記載の発明によれば、遊技媒体貸出機の筐体の正面に配置された計数遊技媒体受け皿を開閉する受け皿用蓋に、携帯通信機の載置を可能とした携帯通信機載置部を設けた。
したがって、受け皿用蓋はもともと遊技媒体貸出機が備えるものであるため、携帯通信機を、遊技者の邪魔になることなく遊技者の近くに載置することができる。
そのため、遊技者は、携帯通信機の表示画面を容易に視認することができるので、電話やメールなどの着信を見逃すことなく携帯通信機を操作でき、利便性の向上を図る上で有利となる。
請求項３記載の発明によれば、携帯通信機載置部に縦置きで載置された携帯通信機の姿勢を安定して保持する上で有利となる。
請求項４記載の発明によれば、携帯通信機載置部に横置きで載置された携帯通信機の姿勢を安定して保持する上で有利となる。
請求項５記載の発明によれば、受け皿用蓋が不正に持ち去られるといったトラブルを防止する上で有利となる。
請求項６記載の発明によれば、受け皿用蓋の計数遊技媒体受け皿への取り付け、取り外しが容易に行なえ、受け皿用蓋の計数遊技媒体受け皿への組み付け作業や交換作業の効率化を図る上で有利となる。
請求項７記載の発明によれば、受け皿用蓋が不正に持ち去られるといったトラブルを防止する上で有利となる。
請求項８記載の発明によれば、遊技中に携帯通信機の充電を行なうサービスを提供することができ、利便性の向上を図る上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】実施の形態に係る遊技媒体貸出機の受け皿用蓋が閉じた状態を示す斜視図である。
【図３】図２の側面図である。
【図４】実施の形態に係る遊技媒体貸出機の受け皿用蓋が開いた状態を示す斜視図である。
【図５】受け皿用蓋が計数遊技媒体受け皿から取り外された状態を示す斜視図である。
【図６】下部正面板を背面側から見た斜視図である。
【図７】（Ａ）は受け皿用蓋の平面図、（Ｂ）は受け皿用蓋の正面図、（Ｃ）は受け皿用蓋の側面図、（Ｄ）は受け皿用蓋の側面断面図である。
【図８】（Ａ）は軸受部の斜視図、（Ｂ）は（Ａ）のＢ矢視図、（Ｃ）は（Ａ）のＣ矢視図である。
【図９】受け皿用蓋が第１の開放位置に開放された状態を示す遊技媒体貸出機の側面図である。
【図１０】受け皿用蓋が第１の開放位置に開放された状態でヒンジ部を拡大した側面図である。
【図１１】受け皿用蓋が第２の開放位置に開放された状態を示す下部正面板の側面図である。
【図１２】受け皿用蓋が第２の開放位置に開放された状態でヒンジ部を拡大した側面図である。
【図１３】受け皿用蓋がヒンジ部から取り外された状態を示す側面図である。
【図１４】（Ａ）は携帯通信機が縦置きされた状態を示す斜視図、（Ｂ）は（Ａ）の正面図、（Ｃ）は（Ａ）の側面図である。
【図１５】（Ａ）は携帯通信機が横置きされた状態を示す斜視図、（Ｂ）は（Ａ）の正面図、（Ｃ）は（Ａ）の側面図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。
遊技媒体貸出機１０は、筐体１２と、筐体本体１４と、ビルバリユニット１６と、制御部１８と、払い出しホッパ２０と、計数ホッパ２１と、ノズルシュート２２と、ノズル２４と、計数遊技媒体受け皿２６と、受け皿用蓋２８とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、開閉蓋３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４、充電用コネクタ１８０６が設けられている。
カード挿入口１８０２には、遊技者の情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
充電用コネクタ１８０６は、後述する受け皿用蓋２８に載置された携帯通信機２にケーブルを介して接続されることで携帯通信機の充電を行なうものであり、充電用コネクタ１８０６としてＵＳＢコネクタなど従来公知の様々なコネクタが使用可能である。
【００１１】
制御部１８の下方には開口３４が設けられている。開口３４は、払い出しホッパ２０にメダルを補充する部分であり、制御部側正面板１８Ａの下方に位置する正面開口部１４１０の部分で構成され、開口３４は、開閉蓋３０で開閉される。開閉蓋３０は専用のキーをキー孔３０１０に差し込むことで開閉操作が許容される。
払い出しホッパ２０は、開口３４から投入されたメダルを収容すると共に、制御部１８から指定された枚数のメダルをノズルシュート２２に払い出すものである。
正面開口部１４１０の下部には下部正面板３２が着脱可能に取着されており、開閉蓋３０の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に供給される。
【００１２】
ノズルシュート２２は、払い出しホッパ２０から払い出されたメダルを受け入れてノズル２４に導く部分であり、ノズルシュート２２は、例えば下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１３】
下部正面板３２の正面３２０２は、筐体１２の正面を構成している。
図４、図５に示すように、計数遊技媒体受け皿２６は、下部正面板３２の正面３２０２でノズルシュート２２の上に設けられている。
【００１４】
図５、図６に示すように、下部正面板３２の背面３２０４に、計数遊技媒体受け皿２６に投入されたメダルを計数ホッパ２１に導く計数メダル通路３６が設けられている。計数遊技媒体受け皿２６と計数メダル通路３６は、下部正面板３２に形成された開口３８を介して連通している。
本実施の形態では、図６に示すように、計数メダル通路３６は、下部正面板３２の背面に取着され開口３８の上部と両側を覆い開口３８の下方が開放されたカバー４０で構成されている。
また、下部正面板３２の背面３２０４で計数メダル通路３６の上方の箇所には、ノズルシュート２２に連通し払い出しホッパ２０から払い出されたメダルをノズルシュート２２に導く払い出しメダル通路４２が設けられている。
【００１５】
また、図５、図６に示すように、下部正面板３２の両側には、それぞれ上下方向に間隔をおいて３つの係止爪３２１０が突設されている。
下部正面板３２は、それら３つの係止爪３２１０が筐体１２の正面開口部１４１０の下部の両側の係止孔（不図示）に、上方から下方に挿入され係止されることで筐体１２に装着される。
上述したように下部正面板３２の上方には開閉蓋３０が開閉可能に設けられ、開閉蓋３０が閉じた状態で、開閉蓋３０の下端と下部正面板３２の上端とは当接可能となるため、下部正面板３２の上方への変位は不能となり、すなわち、下部正面板３２の取り外しは不能となる。
また、開閉蓋３０が開いた状態で、開閉蓋３０の下端は下部正面板３２の上端から離れるため、下部正面板３２の上方への変位が可能となり、すなわち、下部正面板３２の取り外しが可能となる。
【００１６】
図７（Ａ）〜（Ｄ）に示すように、受け皿用蓋２８は、携帯通信機の載置を可能とした携帯通信機載置部４４を備えている。
受け皿用蓋２８は、計数遊技媒体受け皿２６を閉じた状態で上方を向いた上面２８０２を有している。
携帯通信機載置部４４は、筐体１２の正面から離れた上面２８０２の先端寄りの箇所に設けられた突起４６と、突起４６の筐体１２の正面側の上面２８０２の箇所に設けられた平面部４８とを含んで構成されている。
したがって、図１４（Ａ）〜（Ｃ）に示すように、横の寸法よりも縦の寸法が大きい携帯通信機２が縦置きされてその下端が平面部４８上に載置されると共に突起４６に係止され、その上端が開閉蓋３０の前面３００２に係止され、立てかけられた状態で載置される。
本実施の形態では、受け皿用蓋２８の上面２８０２は、筐体１２の正面から上面２８０２の先端までの長さと、この長さと直交する幅とを有している。
本実施の形態では、受け皿用蓋２８の平面部４８は、上面２８０２の幅方向の全長にわたり、かつ、携帯通信機２の幅よりも大きい寸法で上面２８０２の長さ方向に延在している。
したがって、図１５（Ａ）〜（Ｃ）に示すように、横の寸法よりも縦の寸法が大きい携帯通信機２の厚さ方向の一方の面が平面部４８に載置された状態で横置きすることも可能となる。
【００１７】
図９〜図１２に示すように、受け皿用蓋２８は、計数遊技媒体受け皿２６の筐体１２の正面寄りの箇所にヒンジ部５０を介して揺動可能に設けられている。
ヒンジ部５０は、受け皿用蓋２８と計数遊技媒体受け皿２６の一方に設けられた支軸と、他方に設けられた軸受部とを含んで構成されている。
本実施の形態では、図７（Ａ）、（Ｂ）および（Ｄ）に示すように、支軸５２が受け皿用蓋２８に設けられ、図８（Ａ）〜（Ｃ）に示すように、軸受部５４が計数遊技媒体受け皿２６に設けられている。
図１０に示すように、支軸５２の断面は、幅よりも長さが大きい細長形状に形成されている。
軸受部５４は、支軸５２を回転可能に支持する断面が円形の円形孔５４０２と、円形孔５４０２に連通し支軸５２の幅の部分が円形孔５４０２から円形孔５４０２の外部への移動を許容する切り欠き５４０４とを含んで構成されている。
【００１８】
図３に示すように、開閉蓋３０が開口３４を閉塞した状態で、受け皿用蓋２８は、計数遊技媒体受け皿２６を閉塞した状態からヒンジ部５０を中心として揺動して開き、図９に示すように開閉蓋３０に当接した第１の開放位置Ｐ１となる。
図１０に示すように、受け皿用蓋２８は、計数遊技媒体受け皿２６を閉塞した状態と第１の開放位置Ｐ１との間では、支軸５２の幅の部分は円形孔５４０２の内側に位置し、したがって、支軸５２を軸受部５４から取り外すことができず、受け皿用蓋２８を計数遊技媒体受け皿２６から取り外すことができない。
なお、開閉蓋３０が開口３４を開放した状態では、受け皿用蓋２８は、開放された開閉蓋３０に当たるため、第１の開放位置Ｐ１よりも閉じた状態の開放位置となる。
【００１９】
下部正面板３２が筐体１２から取り外された状態で、受け皿用蓋２８は、計数遊技媒体受け皿２６を閉塞した状態からヒンジ部５０を中心として揺動して開き、図１１に示すように第１の開放位置Ｐ１よりもさらに開いた第２の開放位置Ｐ２となる。
図１２に示すように、この第２の開放位置Ｐ２で支軸５２の幅の部分と切り欠き５４０４とが合致し、図１３に示すように、支軸５２を軸受部５４から取り外すことができ、受け皿用蓋２８を計数遊技媒体受け皿２６から取り外すことが可能となる。
【００２０】
また、図７（Ａ）、（Ｄ）に示すように、支軸５２の間の受け皿用蓋２８の箇所に係止片２８１０が突設されている。
また、図８（Ａ）〜（Ｃ）に示すように、係止片２８１０に対向する計数遊技媒体受け皿２６の軸受部５４の箇所に凸条５４１０が延在形成されている。
そして、図１０に示すように、受け皿用蓋２８が、計数遊技媒体受け皿２６を閉塞した状態から揺動して第１の開放位置Ｐ１に開いた際に、係止片２８１０が凸条５４１０を乗り越え、受け皿用蓋２８の第１の開放位置Ｐ１が係止保持されるように形成されている。
【００２１】
次に作用効果について説明する。
本実施の形態によれば、遊技媒体貸出機１０の筐体１２の正面に配置された計数遊技媒体受け皿２６を開閉する受け皿用蓋２８に、携帯通信機２の載置を可能とした携帯通信機載置部４４を設けた。
したがって、受け皿用蓋２８はもともと遊技媒体貸出機１０が備えるものであるため、携帯通信機２を遊技者の邪魔になることなく遊技者の近くに載置することができる。
そのため、遊技者は、携帯通信機２の表示画面を容易に視認することができるので、電話やメールなどの着信を見逃すことなく携帯通信機２を操作でき、利便性の向上を図る上で有利となる。
【００２２】
また、本実施の形態では、開閉蓋３０が開口３４を閉塞した状態で、受け皿用蓋２８は、計数遊技媒体受け皿２６を閉塞した状態からヒンジ部５０を中心として揺動して開き開閉蓋３０に当接した第１の開放位置Ｐ１となる。
そして、受け皿用蓋２８は、計数遊技媒体受け皿２６を閉塞した状態と第１の開放位置Ｐ１との間で、支軸５２の幅の部分は円形孔５４０２内に位置し、受け皿用蓋２８の計数遊技媒体受け皿２６からの取り外しが不能となっている。
したがって、開閉蓋３０が計数遊技媒体受け皿２６に装着された状態において、受け皿用蓋２８を遊技媒体貸出機１０から取り外すことができないため、受け皿用蓋２８が不正に持ち去られるといったトラブルを防止する上で有利となる。
【００２３】
また、本実施の形態では、下部正面板３２が筐体１２から取り外された状態で、受け皿用蓋２８は、第１の開放位置Ｐ１よりもさらに開いた第２の開放位置Ｐ２となり、第２の開放位置Ｐ２で支軸５２の幅の部分と切り欠き５４０４とが合致し、受け皿用蓋２８の計数遊技媒体受け皿２６からの取り外しが可能となるようにした。
したがって、下部正面板３２を筐体１２から取り外すことで、受け皿用蓋２８の計数遊技媒体受け皿２６への取り付け、取り外しが容易に行なえ、受け皿用蓋２８の計数遊技媒体受け皿２６への組み付け作業や交換作業の効率化を図る上で有利となる。
【００２４】
また、本実施の形態では、開閉蓋３０で開口３４を開放させると、下部正面板３２は上方への変位が可能となり、下部正面板３２を筐体本体１４から取り外し可能となるようにし、開閉蓋３０の開放はキー操作により初めて許容される。
したがって、キーを用いて開閉蓋３０が開口３４を開放した状態としない限り、下部正面板３２を筐体本体１４から取り外すことができず、受け皿用蓋２８を遊技媒体貸出機１０から取り外すことができないため、受け皿用蓋２８が不正に持ち去られるといったトラブルを防止する上で有利となる。
【００２５】
また、本実施の形態では、計数遊技媒体受け皿２６の上方の筐体１２の正面の箇所に携帯通信機２の充電を行なう充電用コネクタ１８０６が設けられているので、携帯通信機載置部４４に載置された携帯通信機２と充電用コネクタ１８０６とをケーブルを介して接続することで、携帯通信機２の充電を行なうことができる。
したがって、遊技中に携帯通信機２の充電を行なうサービスを提供することができ、利便性の向上を図る上で有利となる。
【００２６】
さらに本実施の形態の作用効果を図１４、図１５に示す具体例に基いて説明する。
図１４（Ａ）〜（Ｃ）は、横の寸法よりも縦の寸法が大きい携帯通信機２が縦置きされてその下端が平面部４８上に載置されると共に突起４６に係止され、その上端が開閉蓋３０の前面３００２に係止され、立てかけられ載置された状態を示す。
したがって、携帯通信機２の下端は平面部４８上に載置されるため、携帯通信機２の下端が平面部４８に対してがたつくことがなく、携帯通信機載置部４４に縦置きで載置された携帯通信機２の姿勢を安定して保持する上で有利となる。
また、図１５（Ａ）〜（Ｃ）は、横の寸法よりも縦の寸法が大きい携帯通信機２の厚さ方向の一方の面が平面部４８に載置され横置きされた状態を示す。
したがって、携帯通信機２の一方の面は平面部４８上に載置されるため、携帯通信機２の一方の面が平面部４８に対してがたつくことがなく、携帯通信機載置部４４に横置きで載置された携帯通信機２の姿勢を安定して保持する上で有利となる。
また、突起４６に係止させることで、携帯通信機載置部４４に携帯通信機２を縦置きすることも、あるいは、平面部４８に載置することで、携帯通信機載置部４４に携帯通信機２を横置きにすることも可能となる。
したがって、遊技者の好みに応じて、あるいは、携帯通信機２のディスプレイに表示される画面の方向の縦向きと横向きとに応じて、携帯通信機２の姿勢を縦置きと横置きとに適宜選択することができるため、利便性の向上を図る上で有利となる。
【符号の説明】
【００２７】
２  携帯通信機
１０  遊技媒体貸出機
１２  筐体
１４  筐体本体
１８０６  充電用コネクタ
２０  払い出しホッパ
２１  計数ホッパ
２２  ノズルシュート
２４  ノズル
２６  計数遊技媒体受け皿
２８  受け皿用蓋
２８０２  上面
３０  開閉蓋
３００２  前面
３２  下部正面板
３２０２  正面
３２０４  背面
３２１０  係止爪
３４  開口
４４  携帯通信機載置部
４６  突起
４８  平面部
５０  ヒンジ部
５２  支軸
５４  軸受部
５４０２  円形孔
５４０４  切り欠き
Ｐ１  第１の開放位置
Ｐ２  第２の開放位置
【図１】
2018011848.tif 000003
【図２】
2018011848.tif 000004
【図３】
2018011848.tif 000005
【図４】
2018011848.tif 000006
【図５】
2018011848.tif 000007
【図６】
2018011848.tif 000008
【図７】
2018011848.tif 000009
【図８】
2018011848.tif 000010
【図９】
2018011848.tif 000011
【図１０】
2018011848.tif 000012
【図１１】
2018011848.tif 000013
【図１２】
2018011848.tif 000014
【図１３】
2018011848.tif 000015
【図１４】
2018011848.tif 000016
【図１５】
2018011848.tif 000017